(57)【要約】【課題】遮音性にすぐれ、その上圧縮機への巻き付け作業性がよく、コストを低減できる防音材からなる防音装置を設けた圧縮機及びこの圧縮機を備えた空気調和機を提供する。【解決手段】圧縮機１０の防音装置を、再生ゴムと高密度ゴムとを接合してなるゴム層と、このゴム層に接合されたフェルト層とからなる多層構造の防音材１５を外周に巻き付けて構成した。【選択図】図１
2010168940.tif 000002
【特許請求の範囲】
【請求項１】
防音装置が設けられた圧縮機であって、
前記防音装置を、再生ゴムと高密度ゴムとを接合してなるゴム層と、該ゴム層に接合されたフェルト層とからなる多層構造の防音材を外周に巻き付けて構成したことを特徴とする圧縮機。
【請求項２】
前記防音材のゴム層を形成する高密度ゴムに代えてブチルゴムを用いたことを特徴とする請求項１記載の圧縮機。
【請求項３】
前記防音材のゴム層を形成する再生ゴムと、高密度ゴム又はブチルゴムとの厚みを調整可能としたことを特徴とする請求項１又は２記載の圧縮機。
【請求項４】
前記防音材に、前記圧縮機に設けた電源取出部や配管を取り出すための開口部又は切欠き部を設けたことを特徴とする請求項１〜３のいずれかに記載の圧縮機。
【請求項５】
請求項１〜４のいずれかの圧縮機を備えたことを特徴とする空気調和機。
【発明の詳細な説明】
【技術分野】
【０００１】
本発明は、圧縮機及びこれを備えた空気調和機に係り、より詳しくは、防音装置が設けられた圧縮機及びこれを備えた空気調和機に関するものである。
【背景技術】
【０００２】
例えば、空気調和機の室外機に搭載された圧縮機は、運転の際に騒音を発するため、種々防音対策が講じられている。
このような防音対策に用いられる防音材に、再生ゴムからなる単層同一材料の防音材と、その表面に設けられた接着剤とからなり、被着体に貼り付けて装着するようにした剥離形防音材がある（特許文献１参照）。
【先行技術文献】
【特許文献】
【０００３】
【特許文献１】特開２００１−２３６０７４号公報（第３−５頁）
【発明の概要】
【発明が解決しようとする課題】
【０００４】
特許文献１に記載された防音材は、防音性能の向上のために、再生ゴムからなる単層同一材料を多量に使用するため、材料費及び加工コストが高くなり、その上防音材の厚みが増すため、圧縮機外周への巻き付けの作業性が悪いなどの問題があった。
【０００５】
本発明は、上記の課題を解決するためになされたもので、遮音性にすぐれ、その上圧縮機への巻き付けの作業性がよく、コストを低減できる防音材からなる防音装置を設けた圧縮機及びこの圧縮機を備えた空気調和機を提供することを目的としたものである。
【課題を解決するための手段】
【０００６】
本発明に係る防音装置が設けられた圧縮機は、前記防音装置を、再生ゴムと高密度ゴムとを接合してなるゴム層と、該ゴム層に接合されたフェルト層とからなる多層構造の防音材を外周に巻き付けて構成したものである。
【０００７】
また、本発明に係る空気調和機は、上記の圧縮機を備えたものである。
【発明の効果】
【０００８】
本発明によれば、防音材を、再生ゴムと高密度ゴム又はブチルゴムからなる二層構造のゴム層と、このゴム層に接合したフェルト層とによって多層に構成し、この防音材を圧縮機の外周に巻き付けるようにしたので、遮音性にすぐれるばかりでなく、圧縮機への巻き付け作業性がよくその上コストを低減できる防音装置が設けられた圧縮機及びこの圧縮機を備えた空気調和機を得ることができる。
【図面の簡単な説明】
【０００９】
【図１】本発明の一実施の形態に係る圧縮機及び巻き付け前の防音材の斜視図である。
【図２】図１のＡ−Ａ断面拡大図である。
【図３】防音装置を設けた圧縮機の斜視図である。
【図４】前面パネルを取外した本発明の一実施の形態に係る圧縮機を備えた空気調和機の室外機の斜視図である。
【発明を実施するための形態】
【００１０】
図４は前面パネルを取外した本発明の一実施の形態に係る圧縮機を備えた空気調和機の斜視図である。
外ケース１の一方の側には、熱交換器（図示せず）、送風機３などが収容され、前面にファンガード４が設けられた送風室２が設けられており、他方の側には仕切り板５を介して、圧縮機１０、接続配管７、電気箱８などが設置され、前面パネル（図示せず）を有する機械室６が設けられている。
【００１１】
機械室６に設置された圧縮機１０は、図１に示すように、円筒状に形成されて密閉された本体部１１を有し、本体部１１の外面には電線接続部１２及び配管１３ａ，１３ｂが露出して設けられている。
【００１２】
１５は圧縮機１０の本体部１１の外周に巻き付けられて防音装置を構成する防音材で、本体部１１の電線接続部１２に対応して開口部１７が設けられており、また、配管１３ａに対応して切欠き部１８ａが、配管１３ｂに対応して貫通穴１８ｂ（以下、両者を合わせて切欠き部１８という）がそれぞれ設けられている。１９は防音材１５の一方の縁部に設けられたマジックテープ（登録商標）である。
【００１３】
この防音材１５は、図２に示すように、厚みｔ1の再生ゴム１６ｂと、厚みｔ2の高密度ゴム１６ｃ又はブチルゴム１６ｄ（以下、主として高密度ゴム１６ｃの場合について説明する）からなる異種ゴムを二層構造としたゴム層１６ａと、フェルト１６ｅとから構成されている。そして、これら再生ゴム１６ｂ、高密度ゴム１６ｃ及びフェルト１６ｅは、接着剤により接合され、又は締結具等の固定手段により一体に結合されている。
【００１４】
上記のように構成した防音材１５は、フェルト１６ｅ側を圧縮機１０の本体部１１の外周側と対向させ、ゴム層１６ａ側を外側にして本体部１１に巻き付け、縁部に設けたマジックテープ（登録商標）１９により、両縁部をすき間なく合わせて固定する。このとき、圧縮機１０の電線接続部１２は開口部１７から、配管１３ａ，１３ｂは切除部１８からそれぞれ取り出される。なお、２０は防音材１５と同じ材料からなる円板状の天面部材で、圧縮機１０に巻き付けた防音材１５の上部開口部を閉塞する。このときの状態を図３に示す。
【００１５】
本発明に係る圧縮機１０によれば、防音材１５を、再生ゴム１６ｂと、高密度ゴム１６ｃ又はブチルゴム１６ｄとの異種ゴムを二層構造としたゴム層１６ａ、及びフェルト１６ｅによる多層構造とし、再生ゴム１６ｂと、この再生ゴム１６ｂより高密度で遮音性能の高い高密度ゴム１６ｃ又はブチルゴム１６ｄとを併用するようにしたので、再生ゴムからなる単層同一材料の防音材の使用量を増加することにより遮音するようにした従来の圧縮機に比べて、遮音効果を大幅に高めることができる。
【００１６】
また、本発明によれば、ゴム層１６ａを構成する再生ゴム１６ｂの厚みｔ1と、高密度ゴム１６ｃ又はブチルゴム１６ｄの厚みｔ2とを異なる厚みとすることで、遮音性能を調整することができる。この場合、ゴム層１６ａの遮音性能を更に向上するためには、高密度ゴム１６ｃ又はブチルゴム１６ｄの厚みｔ2をより厚くすればよい。
【００１７】
さらに、本発明によれば、再生ゴム１６ｂと、再生ゴム１６ｂより安価な高密度ゴム１６ｃ又はブチルゴム１６ｄとを併用することにより、従来の再生ゴムの使用量のみで対応した場合に比べて、防音材１５のコストを低減することができる。
【００１８】
また、ブチルゴム１６ｄは、再生ゴム１６ｂとその物性を比較した場合、反発弾性が低く、耐屈曲亀裂性が高いことから柔軟性があり、再生ゴム１６ｂとブチルゴム１６ｄとを併用することにより、従来の再生ゴムのみを用いた場合に比べて柔軟性が高められるため、防音材１５の圧縮機１０への巻き付け作業性を向上することができる。
【００１９】
この場合、ゴム層１６ａの強度を高めるためには、再生ゴム１６ｂの厚みを増せばよい。なお、ブチルゴム１６ｄだけで使用量の増加により対応した場合は、柔軟性が高すぎて、圧縮機１０への巻き付け作業性が悪くなる。
また、本発明は、防音材１５をフェルト１６ｅを含む多層構造としたことにより、圧縮機１０に対して高吸音性が得られると共に、放熱ロスに対応することができる。
【００２０】
上記の説明では、図４に示した空気調和機の室外機に本発明に係る圧縮機を搭載した場合を示したが、これに限定するものではなく、他の構造の室外機にも本発明に係る圧縮機を搭載することができる。
さらに、本発明に係る圧縮機は、空気調和機以外の圧縮機を搭載する機器や装置にも使用することができる。
【符号の説明】
【００２１】
１  室外機の外ケース、１０  圧縮機、１１  本体部、１２  配線接続部、１３ａ，１３ｂ  配管、１５  防音材、１６ａ  ゴム層、１６ｂ  再生ゴム、１６ｃ  高密度ゴム、１６ｄ  ブチルゴム、１６ｅ  フェルト、１７  開口部、１８ａ，１８ｂ  切欠き部、１９  マジックテープ（登録商標）、２０  天板部材。
【図１】
2010168940.tif 000003
【図２】
2010168940.tif 000004
【図３】
2010168940.tif 000005
【図４】
2010168940.tif 000006